(57)【要約】【課題】  剪定作業中に剪定鋏を一時的に指に引っ掛けて剪定以外の作業を行うことができる剪定鋏を提供する。【解決手段】  一対の刃体１，２を軸支し、軸支位置よりも基方の柄部４，５の開閉操作によって軸支位置よりも先方の刃部1a，2aで木の枝などを切断する剪定鋏において、一本の指を通すことができる環状部7aを備えた指掛け部材７を、剪定鋏の柄部に着脱自在に装着し、剪定作業中に環状部7aに指を差し込んで保持させ、手指による作業を行う。指掛け部材７は、剪定鋏の柄部を抱持する抱持部7bと環状部7aを一体に形成し、指掛け部材７の抱持部を剪定鋏の柄部の下端から挿入して特定の位置で係止させることができるようにする。【選択図】  図１
2005130846.tif 000002
【特許請求の範囲】
【請求項１】
一対の刃体を軸支し、軸支位置よりも基方の柄部の開閉操作によって軸支位置よりも先方の刃体の刃部で木の枝などを切断する剪定鋏において、一本の指を通すことができる環状部を備えた指掛け部材を、前記柄部に着脱自在に装着することを特徴とする剪定鋏。
【請求項２】
指掛け部材は、剪定鋏の柄部を抱持する抱持部と環状部を一体に形成し、指掛け部材の抱持部を剪定鋏の柄部の下端から挿入して特定の位置で係止させることを特徴とする請求項１記載の剪定鋏。
【請求項３】
柄部の断面形状を外側面の幅が広く内方に向けて幅が狭くなるテーパ状であり、少なくとも上方部分の一部に下端部よりも断面形状が大きくなる係止部を形成するとともに、指掛け部材は弾性を有する合成樹脂材で抱持部と環状部を一体成型し、抱持部は剪定鋏の柄部を弾性壁によって両側から抱持させることを特徴とする請求項２記載の剪定鋏。
【請求項４】
柄部の上方部分の一部に係止部として段部を形成し、該段部による係止位置が鋏のバランス上好ましい所定位置である請求項２記載の剪定鋏。
【発明の詳細な説明】
【技術分野】
【０００１】
この発明は、主として採果、摘果、芽摘みなどの園芸作業に使用する剪定鋏に関する発明である。
【背景技術】
【０００２】
剪定鋏は、主として樹木の剪定に使用するものであるが、一対の刃体を片手で開閉操作して切断する作業とともに、剪定以外の作業を手指で行う場合がある。このような場合、従来は剪定鋏を例えばホルダーに保持させてから手指作業を行っているため、作業能率が悪い欠点があった。このような事態に対応するため、剪定鋏の柄部に下げ紐を取付けることが行われている。
【０００３】
また、剪定鋏には、特許文献１に開示されているように、柄部にリングを設け、このリングに親指を通して柄を握ることによって、剪定作業の際に親指の位置決めを行う思想が知られている。
【特許文献１】実開平２−９０３４
【発明の開示】
【発明が解決しようとする課題】
【０００４】
従来の剪定鋏を使用して園芸作業を行う場合は、剪定の作業と剪定以外の作業を行う場合に一々剪定鋏を、ホルダーなどに保持させて別の作業に移行する必要があり、能率的でなかった。また、提げ紐を利用して手首に引っ掛けて別の作業を行う場合は、下げ紐を手首に引っ掛ける動きが面倒であるとともに、引っ掛けた剪定鋏が安定しないため作業の邪魔になる欠点があった。
【０００５】
特許文献１に記載された発明は、親指を通すためのリングを設けるものであるが、必ず親指を通す位置に取り外しができない状態でリングを配置するものであるため、剪定鋏自体を一時的に保持させる機能はなく、剪定鋏の保管などに際しリングが邪魔になる欠点がある。
上記、従来技術の欠点に鑑み、剪定作業中に剪定鋏を一時的に指に引っ掛けて剪定以外の作業を行うことができる剪定鋏を提供することを目的とするものである。
【課題を解決するための手段】
【０００６】
上記目的を達成するため請求項１記載の発明は、一対の刃体１,２を支持軸３によって軸支し、軸支位置よりも基方の柄部４,５の開閉操作によって軸支位置よりも先方の刃体１,２の刃部1a，2aで木の枝などを切断する剪定鋏において、一本の指を通すことができる環状部7aを備えた指掛け部材７を、前記柄部４,５に着脱自在に装着する。
【０００７】
請求項２記載の発明は、前記請求項１記載の指掛け部材７が、剪定鋏の柄部４,５を抱持する抱持部7bと環状部7aを一体に形成し、指掛け部材７の抱持部7bを剪定鋏の柄部４,５の下端から挿入して特定の位置で係止させる。
【０００８】
請求項３記載の発明は、請求項２記載の発明を実施する上において、柄部４,５の断面形状を外側面の幅が広く内方に向けて幅が狭くなるテーパ状であり、少なくとも上方部分の一部に下端部よりも断面形状が大きくなる係止部を形成する。また、指掛け部材７は全体を、弾性を有する合成樹脂材で抱持部7bと環状部7aとを一体に成型し、抱持部7bは剪定鋏の柄部４,５を弾性壁によって両側から抱持させるものである。
請求項４記載の発明は、柄部４,５の上方部分の一部に係止部として段部９,９を形成する。そして、段部９,９による係止位置を鋏のバランス上好ましい所定位置とする。鋏のバランス上好ましい所定位置として、例えば鋏全体の略重心位置とすることができる。
【発明の効果】
【０００９】
請求項１記載の発明によれば、剪定鋏を使用する作業を中断して、手指による作業を行う必要が生じた場合に、指掛け部材７の環状部7aに任意の手指を通し、剪定鋏を手の甲側に移動させた状態で手早く作業を行うことができる。剪定鋏そのものを保管する場合は、指掛け部材７を取り外して保管することもできる。勿論、指掛け部材７を装着したままの状態で保管してもよい。
【００１０】
請求項２記載の発明によれば、指掛け部材７を剪定鋏の柄４,５の下端部から挿入させて所定位置で係止させることによって容易に着脱することができる。指掛け部材７の係止位置は、主として柄部４,５を把持する場合に邪魔にならない位置、例えば柄の上端部であるが、中間位置などに移動させることができるようにしておくと、指に掛けた剪定鋏をバランスよく保持させることができる。
【００１１】
請求項３記載の発明によれば、請求項２記載の発明を実施する上において、指掛け部材７を容易に着脱することができるとともに、しっかりと装着することができる。また、指掛け部材７は、合成樹脂材の一体成型で安価に提供することができるものである。
【００１２】
請求項４記載の発明によれば、柄部４,５に装着する指掛け部材７を確実に最も好ましい所定位置とする。好ましい所定位置として、鋏全体の略重心位置が考えられ、この好ましい所定位置に、指掛け部材７を確実に装着し、かつ柄部４,５に装着した指掛け部材７が、不用意に柄部の上方から抜けてしまうことを防止することができる。
【発明を実施するための最良の形態】
【００１３】
以下、本発明に係る剪定鋏の好ましい実施形態を添付の図面に基づいて説明する。
図１は剪定鋏全体の正面図、図２は図１のII-II線拡大断面図、図３は指掛け部材のみの平面図、図４は指掛け部材のみの側面図、図５は指掛けリングの使用状態を示す略図である。
【００１４】
本発明に係る剪定鋏は、支持軸３によって一対の刃体１及び２を軸支し、その開閉操作によって切断作業を行うもので、支持軸３の先方が刃部1a，2a、基方が柄部４，５となっており、柄部４，５の開閉操作によって刃部1a，2aによって木の枝などの切断作業を行うものである。柄部４，５には柄部を開く方向に付勢する開閉バネ６を装着している。
【００１５】
図１において、柄部４には指掛け部材７を着脱自在に装着している。指掛け部材７は、図２からも理解できるように、環状部7aと抱持部7bとで構成し、環状部7aと抱持部7bは比較的軟質で弾性を有する合成樹脂材で一体に成型している。すなわち、環状部7aは直径25ミリメートル程度の大きさであって、手の指(親指以外の任意の指)を挿入することができる程度の大きさの真円であり、この環状部7aの外周面の環状端面部分から外側方に突出する態様で抱持部7bを形成している
【００１６】
環状部7aの断面形状は、図２に示すように断面略楕円形とし、指を出し入れし易いように考慮するとともに、抱持部7bは翼状の弾性壁7c，7cによって柄部４又は５を表裏両面から抱持し、環状部7aが外側方であって柄部４，５の長手方向の面と平行な方向に突出するようにしている。
【００１７】
剪定鋏の柄部４，５の断面形状は、外側面の幅Ｗが大きく内側面の幅ｗが小さくなる、略三角形断面に形成している。したがって、柄部４もしくは５を抱持する抱持部7bの弾性壁7cは、基部から先方に向けて狭まるように形成し、弾性壁7cの弾性によって柄部４をしっかりと抱持することができるように形成している。
【００１８】
柄部４の先端、すなわち図１の下端部は断面形状が小さくなるように先細に形成している。したがって、指掛け部材７は、抱持部7bに柄部４の先端を挿入し、上方に移動させることによって簡単に、かつ外れないようにしっかりと装着することが可能となるものである。指掛け部材７は、少なくともガタ付き、あるいは盲動することがないように保持される位置まで移動させる。
【００１９】
柄部４の断面形状は、装着した指掛け部材７がはずれないように係止させるが、その係止位置は特に限定する必要がない。しかしながら、剪定作業時の使用に邪魔にならないように、少なくとも把持する部分よりも上方に移動させることができるようにしておくのが好ましい。本発明者は、柄部４の中間部分から上端までの断面形状をほぼ同一とし、指掛け部材７を任意位置に移動させ、該移動位置において係止させておくことができるようにすることで最も使い勝手のよいもの(図示例)を実現した。
【００２０】
図５は、本発明に係る剪定鋏の使用状態の一例を示すものである。この使用状態は、剪定鋏の柄部４に装着した指掛け部材７の環状部7aに小指を通して剪定鋏を保持して、手指の自由を確保する使用状態である。環状部7aには、小指以外の中指や薬指を通して使用することもできる。環状部に中指や薬指を通す場合は、あたかも「指貫」のような使用形態となり、剪定鋏は、その全体を手の甲側に位置させる。この使用形態では、より大きな手指の自由度が確保され、緻密な手指による作業を行うことができる。指掛け部材７の環状部7aに指を掛けて剪定鋏を保持させる場合、指掛け部材の係止位置を移動させることができるようにしておくと、環状部7aに指を通した状態で、剪定鋏をバランスの良い位置に移動させることができる。
【００２１】
図６は、本発明の別の実施形態を示す、剪定鋏全体の正面図である。この実施形態は、柄部４,５の上部に指掛け部材が摺動する摺動面よりも一段高い段部９,９を形成し、柄部の下端から挿入した実線で示す位置の指掛け部材７が、点線で示す位置で停止し、柄部の上方に抜けてしまうことを防止したものである。段部９の位置は、指掛け部材７を係止させておくのに最も好ましい位置とし、例えば剪定鋏全体の略重心位置とする。これによって、剪定鋏を指に掛けてぶら下げたときに、図５に示す使用状態のように、安定良く保持することができる。
【００２２】
本発明に係る剪定鋏は、剪定作業中に剪定以外の作業の必要性が生じた場合に、鋏を握っている状態のまま、剪定鋏を把持している手、もしくは別の手の指を環状部分に差し込んで剪定鋏を保持することによって、剪定作業から直ちに手指による作業に移行することが可能である。このとき、柄部４，５の下端部に配置してある係止具８を対向する柄部に引っ掛けることによって、剪定鋏の刃が開くことを防止することができる。
作業が終了し、剪定鋏を保管する場合にも指掛け部材７を吊り下げ部として有効に活用することができるとともに、収納する場合は指掛け部材を取り外して扱うことも可能である。
【００２３】
なお、図示実施形態の指掛け部材７は、円環状に形成した状態を図示しているが、必ずしも円環状である必要はなく、楕円、角型などとすることができるとともに、必ずしも全周が繋がった環状である必要はなく、挿入した指が抜けない範囲で一部が途切れた形状であっても良い。
【図面の簡単な説明】
【００２４】
【図１】図１は剪定鋏全体の正面図、
【図２】図２は図１のII-II線拡大断面図、
【図３】図３は指掛け部材のみの平面図、
【図４】図４は指掛け部材のみの側面図、
【図５】図５は指掛けリングの使用状態を示す略図である。
【符号の説明】
【００２５】
１,２…刃体、  1a、1b…刃部、  ３…支持軸、  ４，５…柄部、  ６…開閉バネ、  ７…指掛け部材、7a…環状部、  7b…把持部、  7c…弾性壁、  ８…係止具、  ９…段部。
【図１】
2005130846.tif 000003
【図２】
2005130846.tif 000004
【図３】
2005130846.tif 000005
【図４】
2005130846.tif 000006
【図５】
2005130846.tif 000007
【図６】
2005130846.tif 000008
【手続補正書】
【提出日】平成16年4月6日(2004.4.6)
【手続補正１】
【補正対象書類名】明細書
【補正対象項目名】００２４
【補正方法】変更
【補正の内容】
【００２４】
【図１】図１は剪定鋏全体の正面図、
【図２】図２は図１のII-II線拡大断面図、
【図３】図３は指掛け部材のみの平面図、
【図４】図４は指掛け部材のみの側面図、
【図５】図５は指掛けリングの使用状態を示す略図、
【図６】図６は別の実施形態を示す剪定挟み全体の正面図である。